(57)【要約】本発明の実施形態は、無線ネットワークでアプリケーション・サービス・プロバイダ（ＡＳＰ）と通信を行うよう動作する移動局（ＭＳ）を有する装置を提供する。無線ネットワークはユニバーサル・サービス・インターフェース（ＵＳＩ）を有する。移動局は、ＡＳＰによって要求されるいくつかの又は全てのＵＳＩコンテキストを保存するよう構成されるＵＳＩクライアントを有する。ユーザがウェブブラウザ以外のものを用いてＡＳＰにアクセスする場合に、ＵＳＩクライアントは、関連するＵＳＩをＡＳＰ要求メッセージの一部として挿入する。
2010526517.tif 000002
【特許請求の範囲】
【請求項１】
ユニバーサル・サービス・インターフェース（ＵＳＩ）を含む無線ネットワークでアプリケーション・サービス・プロバイダ（ＡＳＰ）と通信を行うよう動作する移動局を有し、
前記移動局は、前記ＡＳＰによって要求されるいくつかの又は全てのＵＳＩコンテキストを保存するよう構成されるＵＳＩクライアントを有し、
ユーザがウェブブラウザ以外のものを用いて前記ＡＳＰにアクセスする場合に、前記ＵＳＩクライアントは、ＡＳＰ要求メッセージの一部として及び前記移動局の前記ＵＳＩコンテキストをフェッチするために、関連するＵＳＩコンテキストを挿入し、ＵＳＩプロキシは、ＵＳＩコンテキスト要求をＵＳＩサーバに送り、該ＵＳＩサーバは、前記移動局についての前記ＵＳＩコンテキストを有して前記ＵＳＩプロキシへＵＳＩコンテキスト応答を返す、装置。
【請求項２】
ＡＳＰ要求は、ＸＭＬを用いることによってバンドルされる、請求項１記載の装置。
【請求項３】
前記ＵＳＩコンテキストは、前記移動局の現在位置情報及び／又はクオリティ・オブ・サービス（ＱｏＳ）を有する、請求項１記載の装置。
【請求項４】
無線ネットワークでアプリケーション・サービス・プロバイダ（ＡＳＰ）と通信を行うよう動作する移動局を有し、
前記無線ネットワークは、前記移動局から前記ＡＳＰへのデータ経路のラインにＵＳＩプロキシを有し、該ＵＳＩプロキシを通る全てのパケットのステートフル・コンテンツ・インスペクションを実行し、
前記ＵＳＩプロキシがＡＳＰ要求メッセージをインターセプトする場合に、前記ＵＳＩプロキシは、まだ前記ＡＳＰ要求メッセージに存在しない場合はＵＳＩコンテキストを前記ＡＳＰ要求メッセージに付加する、装置。
【請求項５】
前記無線ネットワークはユニバーサル・サービス・インターフェース（ＵＳＩ）を含む、請求項４記載の装置。
【請求項６】
前記ネットワークにおける前記ＵＳＩプロキシは、ＵＳＩサーバとコロケートされる、請求項４記載の装置。
【請求項７】
前記ネットワークにおける前記ＵＳＩプロキシは、ＵＳＩサーバとコロケートされない、請求項４記載の装置。
【請求項８】
前記ＵＳＩプロキシは、ＨＴＴＰ／ＸＭＬでＡＳＰ要求メッセージをインターセプトする、請求項１記載の装置。
【請求項９】
前記ＵＳＩコンテキストは、前記移動局の現在位置情報及び／又はクオリティ・オブ・サービス（ＱｏＳ）を有する、請求項１記載の装置。
【請求項１０】
ユニバーサル・サービス・インターフェース（ＵＳＩ）を含む無線ネットワークで移動局によってアプリケーション・サービス・プロバイダ（ＡＳＰ）と通信を行うステップと、
前記ＡＳＰによって要求されるいくつかの又は全てのＵＳＩコンテキストを保存するよう構成されるＵＳＩクライアントを前記移動局にインクルードするステップと
を有し、
ユーザがウェブブラウザ以外のものを用いて前記ＡＳＰにアクセスする場合に、前記ＵＳＩクライアントは、関連するＵＳＩコンテキストをＡＳＰ要求メッセージの一部として挿入する、方法。
【請求項１１】
ＸＭＬを用いることによってＡＳＰ要求をバンドルするステップを更に有する請求項１０記載の方法。
【請求項１２】
前記ＵＳＩコンテキストは、前記移動局の現在位置情報及び／又はクオリティ・オブ・サービス（ＱｏＳ）を有する、請求項１０記載の方法。
【請求項１３】
移動局からアプリケーション・サービス・プロバイダ（ＡＳＰ）へのデータ経路のラインにおけるユニバーサル・サービス・インターフェース（ＵＳＩ）プロキシを介して前記移動局によって無線ネットワークで前記ＡＳＰと通信を行い、前記ＵＳＩプロキシを通る全てのパケットのステートフル・コンテンツ・インスペクションを実行するステップと、
前記ＵＳＩプロキシがＡＳＰ要求メッセージをインターセプトする場合に、まだ前記ＡＳＰ要求メッセージに存在しない場合はＵＳＩコンテキストを前記ＡＳＰ要求メッセージに付加するステップと
を有する方法。
【請求項１４】
前記ネットワークにおける前記ＵＳＩプロキシをＵＳＩサーバとコロケートするステップを更に有する請求項１３記載の方法。
【請求項１５】
前記ネットワークにおける前記ＵＳＩプロキシは、ＵＳＩサーバとコロケートされない、請求項１３記載の方法。
【請求項１６】
前記ＵＳＩプロキシは、ＨＴＴＰ／ＸＭＬでＡＳＰ要求メッセージをインターセプトする、請求項１０記載の方法。
【請求項１７】
アクセスされる場合に、機械に、
ユニバーサル・サービス・インターフェース（ＵＳＩ）を含む無線ネットワークで移動局によってアプリケーション・サービス・プロバイダ（ＡＳＰ）と通信を行う動作と、
前記ＡＳＰによって要求されるいくつかの又は全てのＵＳＩコンテキストを保存するよう構成されるＵＳＩクライアントを前記移動局にインクルードする動作と
を実行させる命令を提供し、
ユーザがウェブブラウザ以外のものを用いて前記ＡＳＰにアクセスする場合に、前記ＵＳＩクライアントは、関連するＵＳＩコンテキストをＡＳＰ要求メッセージの一部として挿入する、機械によりアクセス可能な媒体。
【請求項１８】
前記機械に、更に、ＸＭＬを用いることによってＡＳＰ要求をバンドルする動作を実行させる命令を更に有する、請求項１７記載の機械によりアクセス可能な媒体。
【請求項１９】
前記ＵＳＩコンテキストは、前記移動局の現在位置情報及び／又はクオリティ・オブ・サービス（ＱｏＳ）を有する、請求項１７記載の機械によりアクセス可能な媒体。
【請求項２０】
アクセスされる場合に、機械に、
移動局からアプリケーション・サービス・プロバイダ（ＡＳＰ）へのデータ経路のラインにおけるユニバーサル・サービス・インターフェース（ＵＳＩ）プロキシを介して前記移動局によって無線ネットワークで前記ＡＳＰと通信を行い、前記ＵＳＩプロキシを通る全てのパケットのステートフル・コンテンツ・インスペクションを実行する動作と、
前記ＵＳＩプロキシがＡＳＰ要求メッセージをインターセプトする場合に、まだ前記ＡＳＰ要求メッセージに存在しない場合はＵＳＩコンテキストを前記ＡＳＰ要求メッセージに付加する動作と
を実行させる命令を提供する、機械によりアクセス可能な媒体。
【請求項２１】
前記機械に、更に、前記ネットワークにおける前記ＵＳＩプロキシをＵＳＩサーバとコロケートする動作を実行させる命令を更に有する、請求項２０記載の機械によりアクセス可能な媒体。
【請求項２２】
前記機械に、更に、前記ＵＳＩプロキシがＨＴＴＰ／ＸＭＬでＡＳＰ要求メッセージをインターセプトする動作を実行させる命令を更に有する、請求項２０記載の機械によりアクセス可能な媒体。
【発明の詳細な説明】
【背景技術】
【０００１】
ブロードバンドのバンド幅及びレートでの情報の転送を促進するモバイルネットワークの開発及び配置に関心が持たれている。斯かるネットワークは、口語的にここでは広帯域無線アクセス（ＢＷＡ（Broadband  Wireless  Access））ネットワークと呼ばれ、第３世代パートナーシップ・プロジェクト（３ＧＰＰ（3rd  Generation  Partnership  Project））及びその派生物、又は電気電子技術者協会（ＩＥＥＥ（Institute  for  Electrical  and  Electronic  Engineers））８０２．１６標準（例えば、ＩＥＥＥ８０２．１６−２００５）によって規定される１又はそれ以上のプロトコルに適合して動作するネットワークを有してよい。なお、ここで論じられる実施形態は、必ずしもそのように限定されない。ＩＥＥＥ８０２．１６に従うＢＷＡネットワークは、時々、ＷｉＭＡＸ（Worldwide  Interoperability  for  Microwave  Access）ネットワークと呼ばれる。これは、ＩＥＥＥ８０２．１６標準についての適合性及び相互運用性のテストを通過する製品の証明マークである。
【０００２】
サービス・プロバイダは、容易に開発され得るサービスに付加価値を付けるように、サービス・レイヤのコンバージェンスを可能にする技術を探している。このギャップを埋めるよう、通信事業業界（より具体的には、３ＧＰＰ）は、インターネット・プロトコル（ＩＰ）マルチメディア・サブシステム（ＩＭＳ）と名付けられている包括的なオールＩＰネットワークを作った。ＩＭＳによるコンバージェンスのプロミス（promise）は、ネットワーク側及びクライアント装置側の両方で、その複雑性に対して重み付けされている。このことは、業界に、最適なコンバージェンス技術としてのＩＭＳの適合性を問題とするよう仕向けている。
【０００３】
ＷｉＭＡＸネットワークの配置及び実施には、ネットワーク・インフラストラクチャを操作し且つ加入局への無線アクセスを提供するプロバイダであるサービス・プロバイダ（ＳＰｓ）と、コンテンツ・プロバイダ（ＣＰ）及び／又はインターネット・アドバタイザ（ＩＡ）を含む、パブリック・インターネット・プロトコル（ＩＰ）で統合コンテンツ（aggregated  content）を提供するプロバイダであるインターネット・アプリケーション・サービス・プロバイダ（ＩＡＳＰｓ）（例えば、グーグル（登録商標）、ヤフー（登録商標）等）との間の協調を最も良く統合する方法について継続的な疑義が存在する。
【０００４】
ユーザが、インターネットにアクセスするために通例のウェブブラウザ以外の何らかのアプリケーションを用いる場合に（例えば、ユーザが、ブラウザを起動する代わりにインターネットを検索するためにグーグル（登録商標）デスクトップを使用する場合に）、ＵＳＩに基づいてＡＳＰによって付加価値サービスを与えるタイムライン（timeline）は“縮む（shrink）”。ＵＳＩは、ＡＳＰが、ユーザが例えば自身のウェブブラウザでGoogle（登録商標）.comに行く時間と、ユーザが検索クエリを送信する時間との間に、ＷｉＭＡＸオペレータのネットワークでＵＳＩサーバからユーザに関する情報を“プリフェッチ（pre-fetch）”することができるという事実に依存してよい。これにより、クエリがGoogle（登録商標）.comをヒットする時までに、グーグル（登録商標）サーバは、結果を形成する際に、プリフェッチされた情報を使用することができる。
【発明の概要】
【発明が解決しようとする課題】
【０００５】
しかし、これは、ユーザが最初にGoogle（登録商標）.comに行くことなく、すなわち、自身のＰＣ上のグーグル（登録商標）デスクトップ・アプリケーションを用いて、検索クエリを入力する場合は可能でない。このような場合には、先の場合において見られるような同程度の付加価値のあるサービスを提供するために、グーグル（登録商標）サーバがＵＳＩサーバに行くことなくユーザの特性を知り、この情報をフェッチする早道が必要とされる。
【０００６】
このように、ユニバーサル・サービス・インターフェースを利用する無線ネットワークでのタイミング最適化のための技術が極めて必要とされている。
【課題を解決するための手段】
【０００７】
本発明とされる対象は、添付の特許請求の範囲で具体的に指し示され且つ明確に請求されている。なお、本発明は、動作の方法及び構成に関して、その目的、特徴及び利点とともに、下記の詳細な記載を参照して、添付の図面とともに読まれる場合に、最もよく理解され得る。
【図面の簡単な説明】
【０００８】
【図１】本発明の様々な実施形態に従うネットワーク・アーキテクチャの機能ブロック図である。
【図２】ユーザがウェブブラウザからＡＳＰにアクセスするとした基本的なＵＳＩタイミングを表す。
【図３】ユーザが本発明の実施形態に従う非ブラウザＡＳＰ専用アプリケーションからＡＳＰにアクセスするシナリオにおけるタイミング最適化のためのＵＳＩクライアント・ソリューションを表す。
【図４】ユーザが本発明の実施形態に従う非ブラウザＡＳＰ専用アプリケーションからＡＳＰにアクセスするシナリオにおけるタイミング最適化のためのＵＳＩプロキシ・ソリューションを表す。
【図５】本発明の実施形態に従うシステムである。
【発明を実施するための形態】
【０００９】
明らかなように、説明の明りょうさ及び簡単のために、図面に表されている要素は必ずしも実寸通りに描かれていない。例えば、いくつかの要素の寸法は、明りょうさのために他の要素に対して誇張されている。更に、適切と考えられる場合に、参照符号は対応する又は同一の要素を示すよう各図の間で繰り返し用いられている。
【００１０】
以下の詳細な記載では、多数の具体的な詳細が本発明の完全な理解を提供するために挙げられている。しかし、当業者には明らかなように、本発明はこれらの具体的な詳細によらずに実施されてよい。他の場合に、よく知られている方法、手順、構成要素及び回路は、本発明を分かりにくくしないように詳細には記載されていない。
【００１１】
以下の詳細な記載では、多数の具体的な詳細が本発明の完全な理解を提供するために挙げられている。しかし、当業者には明らかなように、本発明はこれらの具体的な詳細によらずに実施されてよい。他の場合に、よく知られている方法、手順、構成要素、ユニット及び／又は回路は、本発明を分かりにくくしないように詳細には記載されていない。
【００１２】
本発明の実施形態は様々な用途で使用されてよい。本発明のいくつかの実施形態は、様々な装置及びシステム、例えば、送信機、受信機、送受信機、送信機−受信機、無線通信局、無線通信装置、無線アクセスポイント（ＡＰ）、モデム、無線モデム、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルド装置、パーソナルデジタルアシスタント（ＰＤＡ）装置、ハンドヘルドＰＤＡ装置、ネットワーク、無線ネットワーク、ローカルエリアネットワーク（ＬＡＮ）、無線ＬＡＮ（ＷＬＡＮ）、メトロポリタンエリアネットワーク（ＭＡＮ）、無線ＭＡＮ（ＷＭＡＮ）、ワイドエリアネットワーク（ＷＡＮ）、無線ＷＡＮ（ＷＷＡＮ）、既存のＩＥＥＥ８０２．１１、８０２．１１ａ、８０２．１１ｂ、８０２．１１ｅ、８０２．１１ｇ、８０２．１１ｈ、８０２．１１ｉ、８０２．１１ｎ、８０２．１６、８０２．１６ｄ、８０２．１６ｅ標準及び／又は将来的なバージョン及び／又は派生物及び／又はこれら標準のロング・ターム・エボリューション（ＬＴＥ（Long  Term  Evolution））に従って動作する装置及び／又はネットワーク、パーソナルエリアネットワーク（ＰＡＮ）、無線ＰＡＮ（ＷＰＡＮ）、上記のＷＬＡＮ及び／又はＰＡＮ及び／又はＷＰＡＮネットワークの一部であるユニット及び／又は装置、一方向及び／又は二方向無線通信システム、携帯電話通信システム、携帯電話機、無線電話、パーソナル通信システム（ＰＣＳ）装置、無線通信装置を組み込むＰＤＡ装置、多重入力−多重出力（ＭＩＭＯ（Multiple  Input  Multiple  Output））送受信機又は装置、単一入力−多重出力（ＳＩＭＯ（Single  Input  Multiple  Output））送受信機又は装置、多重入力−単一出力（ＭＩＳＯ（Multiple  Input  Single  Output））送受信機又は装置、マルチ受信機チェーン（ＭＲＣ（Multi  Receiver  Chain））送受信機又は装置、“スマートアンテナ”技術又は多重アンテナ技術を備える送受信機又は装置等とともに使用されてよい。本発明のいくつかの実施形態は、１又はそれ以上のタイプの無線通信信号及び／又はシステム、例えば、無線周波数（ＲＦ）、赤外線（ＩＲ）、周波数分割多重化（ＦＤＭ）、直交ＦＤＭ（ＯＦＤＭ）、時分割多重化（ＴＤＭ）、時分割多重アクセス（ＴＤＭＡ）、拡張ＴＤＭＡ（Ｅ−ＴＤＭＡ）、汎用パケット無線サービス（ＧＰＲＳ）、拡張ＧＰＲＳ、符号分割多重アクセス（ＣＤＭＡ）、広帯域ＣＤＭＡ（ＷＣＤＭＡ）、ＣＤＭＡ２０００、マルチキャリア変調（ＭＤＭ）、離散マルチトーン（ＤＭＴ）、ブルートュース（ＲＴＭ）、ジグビー（Zigbee）（ＴＭ）等とともに使用されてよい。本発明の実施形態は、様々な他の機器、装置、システム及び／又はネットワークで使用されてよい。
【００１３】
本発明の実施形態はこの点において限定されないが、例えば、「処理」、「算出」、「計算」、「決定」、「確立」、「分析」、「確認」等の用語を用いる議論は、コンピュータのレジスタ及び／又はメモリ内で物理的（例えば、電子的）な量として表されるデータを、コンピュータのレジスタ及び／又はメモリあるいは動作及び／又は処理を実行する命令を記憶することができる他の情報記憶媒体の中で同様に物理的な量として表される他の情報に操作及び／又は変換する、コンピュータ、コンピュータ・プラットフォーム、コンピュータ・システム、又は他の電子計算装置の動作及び／又は処理を言う。
【００１４】
本発明の実施形態はこの点において限定されないが、ここで使用される用語「複数」は、例えば、「多数」又は「２又はそれ以上」を含んでよい。用語「複数」は、２又はそれ以上の構成要素、装置、成分、ユニット、パラメータ等を記載するために本明細書全体を通して使用されてよい。例えば、「複数の局（station）」は２又はそれ以上の局を含んでよい。
【００１５】
（ｉ）コンテンツが完全にＳＰの制御環境により提供されるオールドセルラー又は“ウォールドガーデン（walled  garden）”モデルと、（ｉｉ）コンテンツがＳＰを介してトランスペアレントにＩＡＳＰによって提供されるオープンモデルとを含む、ＳＰとＩＡＳＰとの間の統合を提供することが一般的に知られている２つの一般モデルがある。
【００１６】
ウォールドガーデンモデルは、それがユーザによってアクセスされるコンテンツに対して完全な制御を有する点で、ＳＰについての利点を有する。しかし、ＳＰによって通常提供される限られたコンテンツは、インターネットのコンテンツと比較できず、従って、広範囲に及ぶユーザの関心を引き付けることができない。
【００１７】
オープンモデルは、ほとんど制限のないコンテンツを提供することができるので、ユーザにとって魅力的である。しかし、ＳＰがこのモデルでのトランザクションにとってトランスペアレントであるために、アクセス使用量を超えてＳＰにとって収入機会はない。更に、移動局の所在は、ＳＰからの何らかの入力を用いることなくＩＡＳＰによって知られないので、提供され得る高度サービスには限界がある。
【００１８】
無線ブロードバンドネットワークのためのコンテンツ・ソリューションの最近のモデルは、改善されたコンテンツがＳＰの支援を有してＩＡＳＰによって提供され得るように定義される。このモデルは、ここでは、ユニバーサル・サービス・インターフェース（ＵＳＩ）モデル又はインターネット＋モデル（Internet+  model）と呼ばれる。ここで提案されるＵＳＩモデルは、ユーザが、以前に利用可能であったよりも多種多様なコンテンツを得ることができ、ＳＰが追加の歳入分与の恩恵を受けることができ、ＩＡＳＰがより良く、より便利で、及び／又はよりスマートなサービスをユーザに提供することができる点で、ユーザ、ＩＡＳＰ及びＳＰにとって有益である。
【００１９】
図１を参照すると、ＵＳＩモデルを実施するネットワーク・アーキテクチャ１００が一例として示されている。一実施例に従って、移動局（ＭＳ）１０５、例えば、ＩＥＥＥ８０２．１６標準（例えば、ＩＥＥＥ８０２．１６−２００５改訂）に従うプロトコルを用いる加入者局は、サービス・プロバイダによって操作される接続サービスネットワーク（ＣＳＮ）と接続するよう、基地局（ＢＳ）１１０と無線（ＯＴＡ（over-the-air））インターフェースを介して通信を行ってよい。
【００２０】
或る実施例で、加入者局からＢＳ１１０を介するＣＳＮ１１５への通信は、１又はそれ以上のアクセス・サービス・ネットワーク・ゲートウェイ（ＡＳＮＧＷ）１２０を介して行われる。なお、本発明の実施形態は、このような特定のネットワーク実施に限定されない。ＡＳＮＧＷ１２０（又は他の同種のネットワークノード）は、コアネットワーク１１５と複数の基地局１１０との間のインターフェースとして働き、無線アクセスネットワーク（ＲＡＮ）のためのハンドオーバ制御及び他の機能を助けるよう一種のＢＳコントローラ及び／又はモバイル・スイッチング・センタ（ＭＳＣ）として働いてよい。なお、実施形態は、そのように限定されない。
【００２１】
接続サービスネットワーク（ＣＳＮ）１１５は、或る実施例で、ホーム・エージェント（ＨＡ）１１７（又は同種のネットワークノード）と、例えばグーグル（登録商標）等のアプリケーション・サービス・プロバイダ（ＩＡＳＰ）１３０とのインタラクションのためのゲートウェイとして働く、ここではＵＳＩサーバ１１８と呼ばれる新しいタイプのネットワークノードとを有してよい。ホーム・エージェント１１７は、他の非サービス・プロバイダ・ネットワーク又はエンティティ、例えば、パブリック・インターネット・ネットワーク１４０、パブリック・スイッチ・テレホン・ネットワーク（ＰＳＴＮ）１５０及び／又はＩＡＳＰ１３０と移動局（例えば、ＭＳ１０５）を接続するよう、シームレスなインターネット・プロトコル（ＩＰ）トラフィック・ハブとしての機能を果たしてよい。実際上、ＩＡＳＰ１３０は、インターネット・ネットワーク１４０の一部であってよいが、サービス・プロバイダのＣＳＮ１１５との様々なインタラクションを強調表示するよう図１では別々に示されている。必要に応じて、メディア・ゲートウェイ（ＭＧＷ）ノード１５１は、ホーム・エージェント１１７とＰＳＴＮ１５０との間で回路交換式通信をＩＰ通信へ又は逆にＩＰ通信を回路交換式通信へ変換するために使用されてよい。なお、本発明の実施形態はこの点に関して限定されない。
【００２２】
或る実施形態に従って、アカウンティング・サーバ１６０及び／又は加入者デポジトリ（depository）・データベース１７０が、また、ネットワーク１００に含まれてよい。アカウンティング・サーバ１６０は、ユーザ申込みを認証／追跡するよう（例えば、ユーザ使用料を追跡するよう）サービス・プロバイダのＣＳＮ１１５と結合されてよく、一方、データベース１７０は、顧客プロフィール及び／又は個人データ並びに加入者の好みを記憶するために（例えば、ユーザ及び認可されているサービスを識別するために）使用されてよい。或る実施形態で、サーバ１６０及びデータベース１７０は単一のノードで結合してよい。この目的のために、ネットワーク１００についての記載及び図解は論理エンティティを表し、従って、特定のエンティティの配置は、ネットワーク設計上の好み及び／又は物理的な制約に従って、他のエンティティと結合され、又はお互いから分離されてよい。
【００２３】
図１のネットワーク・アーキテクチャの例に従って、ネットワーク１００のための重要な論理インターフェースは下記の通りである：
−  Ｕ２インターフェース：ＩＡＳＰ１３０とＵＳＩサーバ１１８との間；
−  Ｕ３インターフェース：ＡＳＮ１２０とＵＳＩサーバ１１８との間；及び
−  Ｕ４インターフェース：ＨＡ１１７とＵＳＩサーバ１１８との間の任意インターフェース。
【００２４】
ＵＳＩサーバ１１８は、また、コンテンツ料金記録及び／又はサービス認証並びにユーザ特権のために、アカウンティング・サーバ１６０へのインターフェースＵ６と、加入者デポジトリＤＢ１７０へのインターフェースＵ５とを有してよい。
【００２５】
或る実施形態に従って、ＩＡＳＰ１３０とＵＳＩサーバ１１８との間のＵ２インターフェースは、主として、ユーザ（例えば、移動局の１０５のユーザ）識別の他に、サービス・プロバイダ・ネットワークとＩＡＳＰ１３０との間にここで記載される他のあらゆるインタラクションのために使用されてよい。
【００２６】
ＵＳＩサーバ１１８とＡＳＮＧＷ１２０との間のＵ３インターフェースは、シグナル伝達及びホットライン用のインターフェースであって、或る実施形態では、ロケーション・サービス、プレゼンス、プロビジョニング等のための機能をサポートしてよい。
【００２７】
ロケーション・サービス：ＡＳＮ間ハンドオーバ又はアンカーＰＣリロケーションのいずれかによる新しいサービング・ゲートウェイ（ＳＧＷ）（例えば、アンカー・ページング・コントローラ（ＡＰＣ（Anchor  Paging  Controller））又はＡＳＮ−ＧＷ１２０）とのＭＳ１０５の関連付けにおいて、新しいＳＧＷは、ＭＳ１０５にＳＧＷの変更を知らせるようＵ３を介してＵＳＩサーバ１１８とハンドシェイクを行う。ＭＳ１０５の正確な位置がコンテンツ・プロバイダ（例えば、ＩＡＳＰ１３０）によって要求される場合に、ＵＳＩ１１８は、位置測定を開始するようＳＧＷとコンタクトをとってよい。
【００２８】
プレゼンス：ＭＳ１０５が、特定のＡＳＮ−ＧＷ１２０で、ネットワーク・エントリ（entry）／イグジット（exit）又は遊休モード・エントリ／イグジットを行う場合に、ＧＷは、プレゼンス情報（又はその欠如）を伝達するようＵ３を介してＵＳＩサーバ１１８とハンドシェイクを行う。
【００２９】
プロビジョニング：ＵＳＩサーバ１１８がプロビジョニング・サーバとしても機能する場合は、Ｕ３は、プロビジョニング動作（例えば、プロビジョニング開始、プロビジョニング完了等）のシグナル伝達のために使用され得る。更に、ＭＳ１０５は、プロビジョニングが完了するまで、Ｕ３を介してＵＳＩサーバ１１８にホットライン接続され得る。
【００３０】
或る実施形態で、任意のＵ４インターフェースは、ＩＰテレビジョン（ＩＰＴＶ）のようなマネージドＱｏＳサービスのためのホーム・エージェント１１７とＵＳＩ１１８との間のＱｏＳ（quality-of-service）信号伝達のために使用されてよい。他の実施形態で、Ｕ４は除かれ、前出の信号伝達はＵ３インターフェースを介してＡＳＮ−ＧＷ１２０に直接に伝えられてよい。
【００３１】
本発明の実施形態は、タイミングの問題を扱うＵＳＩコンセプトへの拡張を提供する。図２に示されるように、全体として参照符号２００で、移動局（ＭＳ）２０５が、インターネットにアクセスすべく通例のウェブブラウザ以外の他のアプリケーションを用いる場合（例えば、ユーザが、ブラウザに代えてインターネットを検索するためにグーグル（登録商標）を使用する場合）に、ＵＳＩに基づいてＡＳＰによって付加価値サービスを与えるタイムラインは“縮む（shrink）”。
【００３２】
本発明の実施形態に先だって、ＭＳ２０５のユーザはGoogle（登録商標）.com２２５を介してＡＳＰ２１５に行ってよい。次いで、ＡＳＰ２１５は、ＵＳＩコンテキスト要求２３５を送り、ＵＳＩサーバ２１０にＵＳＩコンテキスト応答２４０を返す。次いで、ＵＳＩサーバ２１０は、２４０でＡＳＰにＵＳＩコンテキスト応答を送る。２５５で、ＭＳ２０５はＡＳＰ要求２５５をＡＳＰ２１５に送るとともに、ＵＳＩ拡張（enhanced）ＡＳＰ応答２６０がＡＳＰ２１５からＭＳ２０５に返される。２５０はＡＳＰ＝Ｔからの応答時間を表し、２２０は、ユーザがウェブブラウザを始動させてからユーザが要求を行うまでの時間間隔を表す。
【００３３】
このように、ＵＳＩは、ＡＳＰが、ユーザが例えば自身のウェブブラウザでGoogle（登録商標）.comに行く時間と、ユーザが検索クエリを送信する時間との間に、ＷｉＭＡＸオペレータのネットワークでＵＳＩサーバからユーザに関する情報を“プリフェッチ（pre-fetch）”することができるという事実に依存してよい。これにより、クエリがGoogle（登録商標）.comをヒットする時までに、グーグル（登録商標）サーバは、結果を形成する際に、プリフェッチされた情報を使用することができる。２３０は、ＭＳＩＰ及びポート情報に基づいてネットワーク識別を実行することを表す。Google（登録商標）.comは単なる１つの実例にすぎず、本発明は如何なる特定のＡＳＰにも限定されないことが理解される。
【００３４】
しかし、これは、ユーザが最初にGoogle（登録商標）.comに行くことなく、すなわち、自身のＰＣ上のグーグル（登録商標）デスクトップ・アプリケーションを用いて、検索クエリを入力する場合は可能でない。このような場合には、先の場合において見られるような同程度の付加価値のあるサービスを提供するために、グーグル（登録商標）サーバがＵＳＩサーバに行くことなくユーザの特性を知り、この情報をフェッチする早道が必要とされる。
【００３５】
本発明の実施形態は、前出のタイミング問題に対処する。図３に記載されるように、全体として参照符号３００で、例えば移動局３０５のようなユーザ装置におけるＵＳＩクライアントによる解決法がある。例えば、ＵＳＩクライアントは、グーグル（登録商標）デスクトップ３１５のようなＡＳＰアプリケーションによりバンドルされてよい。なお、本発明はこの点に関して限定されない。ＵＳＩクライアントは、基本的に：
ａ）ＡＳＰ３１５によって要求されるＵＳＩコンテキストの一部又は全てを保存する。例えば、装置は、その位置情報、サービス情報、装置情報、ＱｏＳ情報等を保管してよい；
ｂ）ユーザ装置でのＩＰアドレスをモニタする。ユーザがＶＰＮに入る場合に、それは、ＶＰＮトンネルの外部ＩＰアドレスをキャッシュする。
【００３６】
ユーザがウェブブラウザ以外のものを用いてＡＳＰ３１５にアクセスする場合に、ＵＳＩクライアント３０５は、ＡＳＰ要求メッセージ３２５の一部として、関連するＵＳＩコンテキストを挿入する。このように、ＡＳＰ３１５は、このとき、ユーザからのＵＳＩ拡張要求３２５を有し、ＵＳＩ拡張応答３３５をユーザに返すことができ、ＵＳＩサーバ３１０からＵＳＩコンテキストをフェッチする際の余分の時間を費やす必要がない。３３０は、ＡＳＰ＝Ｔからの応答時間を示す。
【００３７】
ここで、図４を参照すると、参照符号４００でネットワークのＵＳＩプロキシの実例が示されている。このシナリオにおいて、ＵＳＩプロキシ４１５は、例えば移動局４０５のような装置におけるＵＳＩクライアントに代えて又はそれに加えて、ネットワーク内にあってよい。ネットワークにおけるＵＳＩプロキシ４１５は、ＵＳＩサーバ４１０とコロケートされてもされなくてもよい。ＵＳＩプロキシ４１５は、ユーザからＡＳＰ４２０へのデータ経路のラインにあり、自身を通る全てのパケットのステートフル・コンテンツ・インスペクション（stateful  content  inspection）４３０を実行する。ＵＳＩプロキシ４１５がＨＴＴＰ／ＸＭＬでＡＳＰ要求４２５メッセージをインターセプトする場合に、ＵＳＩプロキシ４１５は、基本的に、ＵＳＩコンテキストを、まだＡＳＰ要求メッセージに存在しない場合は、ＡＳＰ要求メッセージに付加する。ＭＳのＵＳＩコンテキストをフェッチするために、ＵＳＩプロキシ４１５はＵＳＩコンテキスト要求４３５をＵＳＩサーバ４１０に送る。ＵＳＩサーバ４１０はＵＳＩコンテキスト応答４４０をＵＳＩプロキシ４１５に返送する。この応答４４０には、ＭＳについてのＵＳＩコンテキストが含まれる。このように、ＡＳＰ４２０は、このときＵＳＩ拡張要求４４５を有し、ＵＳＩサーバ４１０からＵＳＩコンテキストをフェッチする際の余分の時間を費やす必要はなく、ＵＳＩ拡張ＡＳＰ応答４５０をＭＳ４０５に送信してよい。
【００３８】
本発明のいくつかの実施形態は、特定のアプリケーションに適するように又は特定の設計要求に従って、ソフトウェアによって、ハードウェアによって、あるいは、ソフトウェア及び／又はハードウェアのあらゆる組み合わせによって実施されてよい。本発明の実施形態は、全部又は一部をお互いに分離され又はともに結合され得るユニット及び／又はサブユニットを有してよく、特定の多目的の又は汎用のプロセッサ若しくはコントローラ、又は当該技術で知られる装置を用いて実施されてよい。本発明のいくつかの実施形態は、データの一時的な若しくは長期の記憶のために、又は特定の実施形態の動作を助けるために、バッファ、レジスタ、スタック、記憶ユニット及び／又はメモリユニットを有してよい。
【００３９】
本発明のいくつかの実施形態は、例えば、機械読み出し可能な媒体又は物（article）を用いて、実施されてよい。この機械読み出し可能な媒体又は物は、機械によって、例えば、図５のシステム５００によって、プロセッサ（図示せず。）及びアンテナ５１５を有してよい図５の移動局５０５によって、又は他の適切な機械によって実行される場合にその機械に本発明の実施形態に従って方法及び／又は動作を実行させる命令又は命令の組を記憶してよい。移動局５０５は基地局５１０と通信を行ってよい。斯かる機械には、例えば、あらゆる適切な処理プラットフォーム、計算プラットフォーム、計算装置、処理装置、計算システム、処理システム、コンピュータ、プロセッサ等が含まれてよく、それらは、ハードウェア及び／又はソフトウェアのあらゆる適切な組み合わせを用いて実施されてよい。機械読み出し可能な媒体又は物には、例えば、あらゆる適切なタイプのメモリユニット、メモリ装置、メモリ・アーティクル（article）、メモリ媒体、記憶装置、記憶アーティクル、記憶媒体及び／又は記憶ユニット、例えば、メモリ、リムーバブル又は非リムーバブル媒体、消去可能又は消去不可能な媒体、書込可能又は書換可能な媒体、デジタル又はアナログ媒体、ハードディスク、フロッピーディスク（登録商標）、コンパクトディスク読出専用メモリ（ＣＤ−ＲＯＭ）、コンパクトディスク・リコーダブル（ＣＤ−Ｒ）、コンパクトディスク・リライタブル（ＣＤ−ＲＷ）、光ディスク、磁気ディスク、様々なタイプのデジタル・バーサタイル・ディスク（ＤＶＤ）、テープ、カセット等が含まれてよい。命令には、あらゆる適切なタイプのコード、例えば、ソースコード、コンパイル済みコード（compiled  code）、解釈実行コード（interpreted  code）、実行可能コード、スタティックコード、ダイナミックコード等が含まれてよく、それらは、あらゆる適切な高レベル、低レベル、オブジェクト指向、視覚的、コンパイル済み及び／又は解釈実行プログラミング言語、例えば、Ｃ、Ｃ＋＋、Ｊａｖａ（登録商標）、ＢＡＳＩＣ、Ｐａｓｃａｌ、Ｆｏｒｔｒａｎ、Ｃｏｂｏｌ，アッセンブリ言語、機械コード等を用いて実施されてよい。
【００４０】
本発明の特定の特徴についてここでは例示及び記載をしてきたが、多数の改良、置換、変更及び均等が当業者により想到され得る。従って、当然のことながら、特許請求の範囲は、本発明の技術的範囲内にある全てのこのような改良及び変更を網羅するよう意図される。
【図１】
2010526517.tif 000003
【図２】
2010526517.tif 000004
【図３】
2010526517.tif 000005
【図４】
2010526517.tif 000006
【図５】
2010526517.tif 000007
【国際調査報告】
2010526517.tif 000008
2010526517.tif 000009